(57)【要約】【課題】  多品種のコネクタであっても柔軟に対応することができ、部品コストの上昇を抑える。【解決手段】  子ハウジング１０は端子支持部１９を有し、端子支持部１９は、接続端子３０をその先端部及び基端部を外側に突出させた状態で支持する。この端子支持部１９の基端側にヒンジ１２，１３を介して蓋体１４，１５が開閉自在に設けられる。蓋体１４，１５は、フラットハーネス４０の端末部と接続端子３０の基端部との接続部をその接続方向の両側から覆うと共に挟持する。蓋体１４，１５の対向面の外縁部には、吸水テープ１６，１７がそれぞれ設けられている。吸水テープ１６，１７は、吸水・膨張することにより蓋体１４，１５の内部を密閉する。【選択図】  図１
2005347143.tif 000002
【特許請求の範囲】
【請求項１】
平面状の導体を平面絶縁体上に設けたフラット配線部材と、
基端部が前記フラット配線部材の導体の端末部と電気的に接続され先端部が他の電子部品と接続される接続端子と、
この接続端子を内部に収容すると共に前記他の電子部品と嵌合するコネクタハウジングと
を備えたコネクタにおいて、
前記コネクタハウジングは、
前記接続端子をその先端部及び基端部を外側に突出させた状態で支持する端子支持部と、この端子支持部の基端側にヒンジを介して開閉自在に設けられ前記フラット配線部材の導体の端末部と前記接続端子の基端部との接続部をその接続方向の両側から覆うと共に挟持する蓋体と、
この蓋体の対向する外縁部にそれぞれ設けられ吸水・膨張することにより蓋体の内部を密閉する吸水性テープと
を備えたものであることを特徴とするコネクタ。
【請求項２】
前記吸水性テープは、半導電性タイプの両面吸水溝ポリエステルからなることを特徴とする請求項１記載のコネクタ。
【請求項３】
平面状の導体を平面絶縁体上に設けたフラット配線部材と、
基端部が前記フラット配線部材の導体の端末部と電気的に接続され先端部が他の電子部品と接続される接続端子と、
この接続端子を内部に収容すると共に前記他の電子部品と嵌合するコネクタハウジングと
を備えたコネクタにおいて、
前記コネクタハウジングは、
前記接続端子をその先端部及び基端部を外側に突出させた状態で支持する端子支持部と、この端子支持部の基端側にヒンジを介して開閉自在に設けられ前記フラット配線部材の導体の端末部と前記接続端子の基端部との接続部をその接続方向の両側から覆うと共に挟持する蓋体と、
この蓋体の対向する外縁部にそれぞれ設けられ吸水・膨張することにより蓋体の内部を密閉する吸水性樹脂と
を備えたものであることを特徴とするコネクタ。
【請求項４】
前記吸水性樹脂は、高分子吸水ポリマーであることを特徴とする請求項３記載のコネクタ。
【発明の詳細な説明】
【技術分野】
【０００１】
本発明は、自動車などに搭載される複数の導体が平面状に並設されたフレキシブルプリント基板等のフラット配線部材を使用した防水機能を有するコネクタに関する。
【背景技術】
【０００２】
近年、自動車部品のモジュール化及び省スペース化に伴い、自動車などに搭載されるワイヤーハーネスとして複数の導体を平面状に並設したフラットハーネスが多用されるようになってきた。フラットハーネスを使用する場合、フラットハーネス同士を接続したり、フラットハーネスと補機等の電気接続部材とを接続するためのフラットハーネス用コネクタやフラットハーネス用ジョイントボックスが必要になる。フラットハーネス用コネクタは、従来のワイヤーハーネス用のコネクタとの互換性を優先し、接続端子の先端側は従来型コネクタとの嵌合が可能な形状をなし、基端側はフラットハーネス用コネクタの端末部と接続可能な平板状の形状をなしている。
【０００３】
この種のフラットハーネス用コネクタにおいて、防水構造を有する防水コネクタについては、例えば特許文献１に開示されている。ここに開示された防水コネクタは、接続端子が圧着されたＦＰＣを、シール部材のスリットを挿通させてからハウジングに収納し、ハウジングにヒンジ結合された押圧部材を回動させて、押圧部材でシール部材を圧縮することで、ハウジングとシール部材の間、シール部材とＦＰＣの間の防水性を確保するようにしている。
【特許文献１】特開平６−２０３９１０号公報（段落００１４〜００１５、図１、図２）
【発明の開示】
【発明が解決しようとする課題】
【０００４】
しかしながら、上記特許文献１のような防水コネクタであると、コネクタの種類毎にシール部材を用意する必要があり、品種が増え、金型代がかさむことにより、部品コストが上昇してしまうという問題がある。
【０００５】
本発明は、このような問題点に鑑みてなされたもので、多品種のコネクタであっても柔軟に対応することができ、部品コストが上昇することがないコネクタを提供することを目的とする。
【課題を解決するための手段】
【０００６】
本発明に係るコネクタは、平面状の導体を平面絶縁体上に設けたフラット配線部材と、基端部が前記フラット配線部材の導体の端末部と電気的に接続され先端部が他の電子部品と接続される接続端子と、この接続端子を内部に収容すると共に前記他の電子部品と嵌合するコネクタハウジングとを備えたコネクタにおいて、前記コネクタハウジングが、前記接続端子をその先端部及び基端部を外側に突出させた状態で支持する端子支持部と、この端子支持部の基端側にヒンジを介して開閉自在に設けられ前記フラット配線部材の導体の端末部と前記接続端子の基端部との接続部をその接続方向の両側から覆うと共に挟持する蓋体と、この蓋体の対向する外縁部にそれぞれ設けられ吸水・膨張することにより蓋体の内部を密閉する吸水性テープ又は吸水性樹脂とを備えたものであることを特徴とする。
【０００７】
なお、吸水性テープとしては、例えば半導電性タイプの両面吸水溝ポリエステルを使用することができ、吸水性樹脂としては高分子吸水ポリマーを使用することができる。
【発明の効果】
【０００８】
本発明によれば、接続端子を支持する子ハウジングの基端側にヒンジを介して開閉自在に設けられている蓋体が、フラット配線部材の導体の端末部と接続端子の基端部との接続部を、その両側から挟持すると共に、この蓋体の対向する外縁部に吸水・膨張することにより蓋体の内部を密閉する吸水性テープ又は吸水性樹脂をそれぞれ備えているので、フラット配線部材からの水の侵入を効果的に防止することができ、しかも吸水性テープ及び吸水性樹脂は、任意形状に適合可能であるからコネクタが多品種であっても、それぞれに容易に対応することができる。
【発明を実施するための最良の形態】
【０００９】
以下、添付の図面を参照して、本発明の好ましい実施の形態を説明する。
【００１０】
図１は、本発明の一実施形態に係るフラットハーネス用コネクタを示す分解外観斜視図、図２は、このフラットハーネス用コネクタの外観斜視図、図３は、図１のＢ矢視図、図４は、図２のＡ−Ａ´断面図である。
【００１１】
図１に示すように、フラットハーネス用コネクタ１は、フラットハーネス４０と、このフラットハーネス４０の端末部と接続される複数の接続端子３０と、これら複数の接続端子３０及びフラットハーネス４０の端末部が装着される支持部材としてのコネクタハウジング２とを備えて構成されている。
【００１２】
フラットハーネス４０は、この例では絶縁フィルムなどの平面状絶縁体４３の上に平面状の複数の導体４１をパターン形成して所定の回路部を形成し、これらの上にカバーレイフィルムなどの絶縁被覆４２を形成したいわゆるフレキシブルプリント基板（ＦＰＣ）からなり、例えばその端末部において厚さ方向の一方の面側の絶縁被覆４２が除去されて、並設された各導体４１がそれぞれ露出された構造からなるものである。その他にもフラットハーネス４０としては、図示は省略するが例えば複数の矩形断面形状の導体４１の押出成形により所定の回路部を形成してこの回路部を絶縁フィルムなどの絶縁被覆４２でラミネートしたいわゆるフレキシブルフラットケーブル（ＦＦＣ）などを用いることができる。
【００１３】
フラットハーネス４０の各導体４１とそれぞれ接続される複数の接続端子３０は、例えば図４に示すように、先端側に形成されて図示しない相手方接続端子と接続可能な端子接続部３１と、基端側に形成されてフラットハーネス４０の各導体４１と接続される導体接続部３２とを備えて構成され、この例では全体が板状に形成されている。
【００１４】
コネクタハウジング２は樹脂成型部材からなり、複数の接続端子３０が装着される子ハウジング１０と、この子ハウジング１０を内部に収容する親ハウジング２０とを備えて構成されている。
【００１５】
子ハウジング１０は、複数の接続端子３０を、その端子接続部３１と導体接続部３２とをそれぞれ先端側及び基端側に露出させた状態で保持する端子支持部１９と、この端子支持部１９の基端側（導体接続部３２側）にヒンジ１２，１３をそれぞれ介して開閉自在に一体形成された一対の蓋体１４，１５とから構成されている。端子支持部１９は、複数の接続端子３０を複数の端子圧入孔１１に圧入して保持するか一体成形により保持する。蓋体１４，１５は、導体接続部３２とフラットハーネス４０の端末部との接続部を覆うと共に接続方向に挟持する。即ち、図中上部に位置する蓋体１４の下面には、高さ方向に段差になった支持面１４ａ，１４ｂが形成され、これら支持面１４ａ，１４ｂがそれぞれ導体接続部３２及びフラットハーネス４０の上面に当接し、蓋体１５の上面は、フラットハーネス４０の下面に当接する。蓋体１４，１５の対向面の外縁部には、吸水テープ１６，１７がそれぞれ設けられている。吸水テープ１６，１７は、吸水・膨張することにより蓋体１４，１５の内部を密閉する。このような吸水テープ１６，１７としては、例えば、半導電性タイプの両面吸水溝ポリエステルを使用することができる。また、この他にも、吸水テープ１６，１７として、（１）２枚の不織布基材間に、吸水性樹脂粉末と低融点の熱接着性樹脂粉末を混合した吸水性樹脂層を散布し介在させたサンドイッチ型止水テープ（特開昭６３−３０１４１８号公報）。（２）ポリエステル長繊維不織布の片面又は両面に、吸水性樹脂粉末と樹脂バインダーの吸水性樹脂組成物を塗布した塗布型止水テープ（特開昭６１−１２９２２８号公報）。（３）特定粒径の吸水性樹脂粉末とゴム系バインダーの吸水性樹脂組成物を不織布基材の片面に塗布し、カバー材と共に高圧カレンダーで圧縮した圧縮型止水テープ（特開平３−３１３９０号公報）。（４）見掛密度０．５ｇ／ｃｍ3 以上の高温プレス処理したポリエステル不織布の少なくとも片面に、吸水性樹脂粉末と合成樹脂バインダーよりなる見掛密度０．５０〜１．２５ｇ／ｃｍ3 の圧縮処理した吸水性樹脂層を有し、この吸水性樹脂層の少なくとも一方が場合によりカバー材によって覆われている厚さが０．１８〜０．２３ｍｍである止水テープ（特開平５−１７４６３６号公報）等を用いることができる。また、吸水テープ１６，１７の代わりに、高分子吸水ポリマー等の吸水性樹脂を使用することもできる。
【００１６】
各接続端子３０の導体接続部３２とフラットハーネス４０の端末部の導体４１とは、例えば抵抗溶接（シリーズ溶接）により接合部４４において接合されている。即ち、接続端子３０を端子支持部１９に装着したのち、フラットハーネス４０の端末部を、接続端子３０の導体接続部３の下側に添設し、例えば図４に示すように、導体接続部３２の上方から一対の電極９１，９２を導体接続部３２に当接させ、加圧しながら各電極９１，９２間に所定の電流を所定時間通電させて導体接続部３２と導体４１との接触部分である接合部４４の金属を溶解し、両者を接合するようにしている。なお、図面上では便宜的に接合部４４をスポット状に描画しているが、実際には接合部４４は各電極９１，９２の直下周辺から両電極９１，９２間にわたって形成されるものである。
【００１７】
導体接続部３２と導体４１とは、このようなシリーズ溶接などの抵抗溶接の他にも、例えば超音波溶着、レーザ溶接、アーク溶接、半田付け及びピアッシングの少なくとも１つによって接合されていても良い。
【００１８】
一方、子ハウジング１０と共にコネクタハウジング２を構成する親ハウジング２０は、図４に示すように、基端側に形成されて内部に子ハウジング１０を収容する子ハウジング収容室２１が形成された基端側ハウジング２３と、先端側に形成されて子ハウジング収容室２１に収容された子ハウジング１０から突出する接続端子３０の端子接続部３１が収容されると共に図示しない相手方コネクタハウジングと嵌合する嵌合部２２が内部に形成された先端側ハウジング２４とを樹脂により一体形成したものである。子ハウジング収容室２１は、入口から奥に入ると、内側の断面積が狭くなっており、テーパ２５により子ハウジング１０が挿入しやすくなっている。また、テーパ２５により蓋体１４，１５が完全に閉じられ、接続端子３０の接続部が蓋体１４，１５で挟持される。子ハウジング１０が親ハウジング２０に完全挿入されると、子ハウジング１０の端子支持部１９の側面に突設された係合突起１９ａと、親ハウジング２０の基端側ハウジング２３の側面に形成された係合片２９ａとが係合するようになっている。
【００１９】
このように構成されたコネクタによれば、図４に示すように、蓋体１４，１５が接続端子３０の導体接続部３２の延びる方向に対してそれぞれ９０°以上の開き角をもって開いたときに、導体接続部３２の上下には干渉するものが何もないので、溶接設備を容易に配置することができ、製造がし易くなる。
【００２０】
また、子ハウジング１０を親ハウジング２０に挿入していくだけで、親ハウジング２０の子ハウジング収容室２１の内壁が蓋体１４，１５の上下を押圧し、接続端子３０の接続部が蓋体１４，１５でしっかりと挟持されることになる。
【００２１】
更に、蓋体１４，１５の対向する外縁部に、吸水・膨張することにより蓋体１４，１５の内部を密閉する吸水性テープ１６，１７（又は吸水性樹脂）を備えているので、フラットハーネス４０からの水の侵入を効果的に防止することができ、しかも吸水性テープ１６，１７（又は吸水性樹脂）は、任意形状に適合可能であるからコネクタが多品種であっても、それぞれに容易に対応することができる。
【００２２】
なお、接続端子３０側からの浸水については、子ハウジング１０の端子圧入孔１１に接続端子３０を圧入した後、端子圧入孔１１にグリスを塗布することで防水構造とすることができる。
【図面の簡単な説明】
【００２３】
【図１】本発明の一実施形態に係るフラットハーネス用防水コネクタを示す分解斜視図である。
【図２】同防水コネクタの外観斜視図である。
【図３】図１のＢ矢視を示す図である。
【図４】図２のＡ−Ａ´断面図である。
【図５】同防水コネクタにおけるフラットハーネスと接続端子との接合方法を示す一部断面で示す側面図である。
【符号の説明】
【００２４】
１，３，４…フラットハーネス用コネクタ、２…コネクタハウジング、１０…子ハウジング、１２，１３…ヒンジ、１４，１５…蓋体、１６，１７…防水テープ、１９…端子支持部、２０…親ハウジング、３０…接続端子、４０…フラットハーネス。
【図１】
2005347143.tif 000003
【図２】
2005347143.tif 000004
【図３】
2005347143.tif 000005
【図４】
2005347143.tif 000006
【図５】
2005347143.tif 000007